(57)【特許請求の範囲】
【請求項１】
循環水を機器に流入する入口ライン及び機器から循環水を排出する出口ラインを備え、
入口ラインに入口弁装置を設けると共に、出口ラインに出口弁装置を設け、
入口弁装置の下流側における入口ラインと出口弁装置の下流側における出口ラインとを連通路で連通し、
入口ライン内の循環水を出口ライン側に送る送給手段を連通路に設け、
前記送給手段が、前記連通路に設けられたタンクと、
前記連通路における前記入口ライン側に設けられた第１開閉弁と、
前記連通路における前記出口ライン側に設けられた第２開閉弁と、
前記タンクに連通して設けられ、前記連通路内に圧力空気を供給することで循環水を圧送する空気供給手段とを具備するものである
ことを特徴とする循環水系の排水装置。
【請求項２】
請求項１において、
前記連通路内の循環水量を計測する計測手段を設け、計測手段の計測状況により空気供給手段を動作させる
ことを特徴とする循環水系の排水装置。
【発明の詳細な説明】
【０００１】
【発明の属する技術分野】
本発明は、循環水系の排水装置に関し、点検時等に循環水を停止した際に特に入口ラインに残留する循環水を排水するようにしたものである。
【０００２】
【従来の技術】
例えば、タービンプラントでは、蒸気タービンの排気蒸気が復水器で覆水されてボイラ等に送られ、再び蒸気にされて蒸気タービンの動力として導入されている。覆水器の冷却媒体（冷却水）の経路は、海水等を使用するものや、閉サイクルの循環経路を使用するものがあり、閉サイクルの循環経路を使用する場合、クーリングタワーで冷やされた冷却水がポンプ等により覆水器に圧送され、覆水器からの冷却水はクーリングタワーに戻されるようになっている。
【０００３】
クーリングタワーからの冷却水（循環水）は入口ラインから復水器に流入し、復水器からの循環水は出口ラインからクーリングタワーに送られる。入口ラインには入口弁装置が設けられると共に出口ラインには出口弁装置が設けられ、点検時等に循環水の循環を停止する場合には、復水器側の循環水を排出して入口弁装置及び出口弁装置を閉じるようにしている。
【０００４】
【発明が解決しようとする課題】
復水器側の循環水を排出して入口弁装置及び出口弁装置を閉じた場合でも、循環水を完全に排出することはできず、入口弁装置と復水器との間における入口ライン内に循環水が残留してしまう。従来は、ドレン等を用いて残留した循環水を系外に排出して捨てていたので、無駄な作業及び冷却水が生じていた。また、循環水には薬品等が注入されており、系外に排出した後に排水処理を施す必要があった。
【０００５】
本発明は上記状況に鑑みてなされたもので、循環水の排出作業の必要がなく無駄な循環水を必要としない循環水系の排水装置を提供することを目的とする。
【０００６】
【課題を解決するための手段】
上記目的を達成するための本発明の構成は、
循環水を機器に流入する入口ライン及び機器から循環水を排出する出口ラインを備え、
入口ラインに入口弁装置を設けると共に、出口ラインに出口弁装置を設け、
入口弁装置の下流側における入口ラインと出口弁装置の下流側における出口ラインとを連通路で連通し、
入口ライン内の循環水を出口ライン側に送る送給手段を連通路に設け、
前記送給手段が、前記連通路に設けられたタンクと、
前記連通路における前記入口ライン側に設けられた第１開閉弁と、
前記連通路における前記出口ライン側に設けられた第２開閉弁と、
前記タンクに連通して設けられ、前記連通路内に圧力空気を供給することで循環水を圧送する空気供給手段とを具備するものである
ことを特徴とする。
【０００７】
また、前記連通路内の循環水量を計測する計測手段を設け、計測手段の計測状況により空気供給手段を動作させることを特徴とする。
【０００９】
【発明の実施の形態】
図１には本発明の一実施形態例に係る循環水系の排水装置を備えたタービンプラントの概略系統、図２には排水装置の概略系統を示してある。
【００１０】
図１に示すように、例えば、ガスタービンと蒸気タービンを備えた複合発電設備では、ガスタービンの排気ガスを熱源とする廃熱回収ボイラで発生した蒸気が蒸気タービン１に送られ、蒸気タービン１で仕事をした排気蒸気は機器としての復水器２で復水される。復水器２では、循環水系３からの循環水により排気蒸気が凝縮されて覆水される。復水器２からの復水は、給水ポンプ４により廃熱回収ボイラ側に回収される。
【００１１】
循環水系３を説明する。図１、図２に示すように、循環水を復水器２の水室2aに流入する入口ライン１１と、復水器２の水室2aから循環水を排出する出口ライン１２とを備えている。入口ライン１１と出口ライン１２の系統は２系統備えられている。入口ライン１１には入口弁装置１３が設けられ、出口ライン１２には出口弁装置１４が設けられている。入口弁装置１３及び出口弁装置１４が開いている状態で、クーリングタワー１５からの循環水がポンプ１６で圧送されて入口ライン１１から復水器２に送られ、循環水は復水器２から出口ライン１２を通ってクーリングタワー１５に戻される。循環水には入口ライン１１から薬品が注入されるようになっている。
【００１２】
点検時等に循環水の循環を停止する場合には、復水器２側の循環水を排出して入口弁装置１３及び出口弁装置１４を閉じ、入口弁装置１３の上流側における入口ライン１１及び出口弁装置１４の下流側における出口ライン１２に循環水が残留しないようにしている。しかし、入口弁装置１３と復水器２との間における入口ライン１１には、入口弁装置１３を閉じた後に復水器２の水室2a内に残留する循環水が溜まってしまう。
【００１３】
このため、入口弁装置１３の下流側における入口ライン１１と出口弁装置１４の下流側における出口ライン１２とが連通路１７でつながれ、入口ライン１１内に溜まった循環水を出口ライン１２側に送る送給手段としての送給ポンプ１８が連通路１７に設けられている。尚、図中の符号で１９は連通路１７に設けられた開閉弁で、送給ポンプ１８により入口ライン１１内に溜まった循環水を出口ライン１２側に送るときにのみ開かれるようになっている。
【００１４】
上記構成の循環水系の排水装置では、点検時等には循環水の循環を停止して入口弁装置１３及び出口弁装置１４を閉じる。この場合、入口弁装置１３と復水器２の水室2aとの間における入口ライン１１に循環水が溜まるが、開閉弁１９を開いて送給ポンプ１８により入口ライン１１内に溜まった循環水を連通路１７から出口弁装置１４の下流側における出口ライン１２に送給する。
【００１５】
従って、入口ライン１１に溜まった循環水を系外に排出して捨てる必要がなくなり、無駄な作業及び無駄な循環水が生じることがない。また、薬品等が注入されている循環水を排出する際における排水処理も不要となる。このため、循環水の排出作業の必要がなく無駄な循環水を必要としない循環水系の排水装置とすることが可能になる。
【００１６】
図３、図４に基づいて他の実施形態例に係る排出装置を説明する。
【００１７】
図３には本発明の第２実施形態例に係る循環水系の排水装置の概略系統を示してある。尚、図には入口ライン１１及び出口ライン１２を１系統のみ示してあり図１、図２に示した部材と同一部材には同一符号を付して重複する説明は省略してある。
【００１８】
図に示すように、連通路１７にはタンク２１が設けられ、タンク２１の入口ライン１１側の連通路１７には第１開閉弁２２が設けられ、タンク２１の出口ライン１２側の連通路１７には第２開閉弁２３が設けられている。タンク２１には空気供給手段としての空圧源２４が連通し、空圧源２４によりタンク２１内が加圧されるようになっている。通常運転時は、第１開閉弁２２及び第２開閉弁２３は閉じられ、空圧源２４によるタンク２１の加圧は行なわれない。
【００１９】
上記構成の循環水系の排水装置では、点検時等には循環水の循環を停止して入口弁装置１３及び出口弁装置１４を閉じると共に第１開閉弁２２を開く。この場合に入口弁装置１３と復水器２の水室2aとの間における入口ライン１１に循環水が溜まるが、溜まった循環水はタンク２１に流入する。タンク２１に所定量の循環水が溜まると、第１開閉弁２２を閉じると共に第２開閉弁２３を開き、空圧源２４によりタンク２１内を加圧する。これにより、タンク２１内の循環水を出口弁装置１４の下流側における出口ライン１２に送給する。
【００２０】
従って、排出用のポンプを用いることなく、入口弁装置１３と復水器２の水室2aとの間における入口ライン１１に溜まった循環水を出口ライン１２側に排出することができ、循環水の排出作業の必要がなく無駄な循環水を必要としない循環水系の排水装置とすることが可能になる。
【００２１】
図４には本発明の第３実施形態例に係る循環水系の排水装置の概略系統を示してある。尚、図には入口ライン１１及び出口ライン１２を１系統のみ示してあり図１、図２及び図３に示した部材と同一部材には同一符号を付して重複する説明は省略してある。
【００２２】
第３実施形態例に係る循環水系の排水装置は、第２実施形態例の排水装置に対してタンク２１内の循環水の量を検出する、即ち、連通路１７内の循環水量を計測する計測手段としてのレベルスイッチ３１（リミットスイッチ）を付加した構成となっており、第１開閉弁２２、第２開閉弁２３が電動弁で構成されている。レベルスイッチ３１の検出状況により第１開閉弁２２、第２開閉弁２３及び空圧源２４が自動的に動作される。
【００２３】
上記構成の循環水系の排水装置では、点検時等には循環水の循環を停止して入口弁装置１３及び出口弁装置１４を閉じると共に第１開閉弁２２を開く。この場合に入口弁装置１３と復水器２の水室2aとの間における入口ライン１１に循環水が溜まるが、溜まった循環水はタンク２１に流入する。タンク２１に所定量の循環水が溜まると、循環水の量がレベルスイッチ３１で検出され、レベルスイッチ３１の検出状況により第１開閉弁２２が自動的に閉じられると共に第２開閉弁２３が自動的に開かれ、空圧源２４によりタンク２１内が自動的に加圧される。これにより、タンク２１内の循環水が出口弁装置１４の下流側における出口ライン１２に自動的に送給される。
【００２４】
従って、レベルスイッチ３１の検出状況により、入口弁装置１３と復水器２の水室2aとの間における入口ライン１１に溜まった循環水を出口ライン１２側に自動的に排出することができ、循環水の排出作業の必要がなく無駄な循環水を必要としない循環水系の排水装置とすることが可能になる。
【００２５】
循環水系の排水装置の他の実施形態例としては、復水器２の水室2aを加圧する加圧手段を設け、入口弁装置１３及び出口弁装置１４を僅かに開いて加圧手段により水室2aを加圧し、入口弁装置１３の下流側の入口ライン１１内及び出口弁装置１４の上流側の出口ライン１２内の循環水を排出するようにしてもよい。
【００２６】
【発明の効果】
本発明の循環水系の排水装置は、循環水を機器に流入する入口ライン及び機器から循環水を排出する出口ラインを備え、入口ラインに入口弁装置を設けると共に、出口ラインに出口弁装置を設け、入口弁装置の下流側における入口ラインと出口弁装置の下流側における出口ラインとを連通路で連通し、入口ライン内の循環水を出口ライン側に送る送給手段を連通路に設けたので、送給手段により入口ライン内に溜まった循環水を連通路から出口弁装置の下流側における出口ラインに送給することができる。この結果、循環水の排出作業の必要がなく無駄な循環水を必要としない循環水系の排水装置とすることが可能になり、メンテナンスの容易性が向上し循環水の排水量を削減することができる。
【００２７】
また本発明の循環水系の排水装置は、循環水を機器に流入する入口ライン及び機器から循環水を排出する出口ラインを備え、入口ラインに入口弁装置を設け、入口弁装置の下流側の入口ライン内の循環水を排水するために入口弁装置を開いた際に機器の循環水室を加圧する加圧手段を備えたので、入口弁装置を開いて加圧手段で循環水室を加圧することで、入口ライン内に溜まった循環水を上流側に送給することができる。この結果、循環水の排出作業の必要がなく無駄な循環水を必要としない循環水系の排水装置とすることが可能になり、メンテナンスの容易性が向上し循環水の排水量を削減することができる。
【図面の簡単な説明】
【図１】本発明の一実施形態例に係る循環水系の排水装置を備えたタービンプラントの概略系統図。
【図２】排水装置の概略系統図。
【図３】第２実施形態例に係る排水装置の概略系統図。
【図４】第３実施形態例に係る排水装置の概略系統図。
【符号の説明】
１  蒸気タービン
２  復水器
３  循環水系統
４  給水ポンプ
１１  入口ライン
１２  出口ライン
１３  入口弁装置
１４  出口弁装置
１５  クーリングタワー
１６  ポンプ
１７  連通路
１８  送給ポンプ
１９  開閉弁
２１  タンク
２２  第１開閉弁
２３  第２開閉弁
２４  空圧源
３１  レベルスイッチ
【図１】
0004183349.tif 000002
【図２】
0004183349.tif 000003
【図３】
0004183349.tif 000004
【図４】
0004183349.tif 000005